(57)【要約】【課題】レコード盤とレコードプレーヤ用マットとの間の静電気発生を抑制し、レコード盤へのごみ付着を防止する。【解決手段】本発明のレコードプレーヤ用マット１は、レコード盤２が載置される側のベース部材１ａ面にフロックによる静電植毛１ｂが施されて構成されている。  ベース部材１ａ面への静電植毛処理により帯電防止機能が得られることから、スクラッチパフォーマンス操作等により、載置されたレコード盤２との間にたとえ摩擦が生じたとしても、静電気発生は抑制され、レコード盤２へのごみ付着は軽減される。  レコード盤２面に対するごみ付着の軽減により、レコード盤２は雑音が少なく良好な再生が可能である。【選択図】図２
2009004059.tif 000002
【特許請求の範囲】
【請求項１】
ターンテーブル上に載置して使用され、円盤状のベース部材を主体としてなるレコードプレーヤ用マットにおいて、
前記ベース部材は、一方の面に静電植毛処理が施されていることを特徴とするレコードプレーヤ用マット。
【請求項２】
前記ベース部材は、金属製またはプラスチック製からなることを特徴とする請求項１に記載のレコードプレーヤ用マット。
【請求項３】
前記静電植毛は、黒色のフロックの静電植毛処理と、植毛されたフロックに対する導電化処理が施されていることを特徴とする請求項１または請求項２に記載のレコードプレーヤ用マット。
【請求項４】
前記ベース部材は、前記静電植毛処理が施された側の面にレコード盤を載置するように構成されたことを特徴とする請求項１ないし請求項３のうちのいずれか１項に記載のレコードプレーヤ用マット。
【発明の詳細な説明】
【技術分野】
【０００１】
本発明は、ＤＪ（ディスクジョッキー）用のレコードプレーヤに採用して好適なレコードプレーヤ用マットの改良に関する。
【背景技術】
【０００２】
ＤＪ（ディスクジョッキー）に用いられるレコードプレーヤでは、演奏者が指先で直接レコード盤を正逆回転させる操作、いわゆるスクラッチパフォーマンス操作が広く用いられる。ＤＪ用のレコードプレーヤにおいて、レコード盤は、ターンテーブル上にスリップマット（あるいは滑りシートとも称される）を介して載置される。
ＤＪ用レコードプレーヤにおけるレコード盤の通常の再生では、レコード盤はカートリッジの針圧を受けつつスリップすることなくターンテーブルの回転に同期して回転し、演奏者がスクラッチパフォーマンス操作を行うべくレコード盤に手（指先）を接触させたときには、レコード盤はスリップマットとの間でスリップするものの、スリップマットはターンテーブルとの間でスリップすることなくターンテーブルに同期して回転する。
【０００３】
演奏者がスクラッチパフォーマンス操作を行うべくレコード盤に手を触れたときには、レコード盤はスリップマットとの間でスリップするが、レコード盤のスリップによって、ターンテーブル自体の回転が損なわれないことが望まれる。
また、演奏者がレコード盤から手を離し、スクラッチパフォーマンス操作を止めたときには、レコード盤は直ちにスリップマットと一体になって所定の回転速度で回転することが求められる。
スリップマットとレコード盤とはそれぞれ互いに異なる物質（素材）で構成されるが、上記のように機能するには、両者間には摩擦係数が小さいながらも常に安定した摩擦力が働くことが要求される。それによってレコード盤の通常の再生では、摩擦力によりスリップマットとの間でスリップすることなく、レコード盤は所定の回転速度で安定的に回転することができる。
なお、ＤＪ用以外の一般的なレコードプレーヤでは、マットとレコード盤との間に滑り（スリップ）を生じないことが望ましく、また滑りを生じさせないためにも、摩擦係数が大きいゴム材のマットが搭載され使用される（例えば、特許文献１参照）。
もちろん、ＤＪ用のレコードプレーヤに搭載されるスリップマットであっても、一般的なレコードプレーヤに搭載して使用することができる。
【特許文献１】特開２０００−２６８３０１号公報
【発明の開示】
【発明が解決しようとする課題】
【０００４】
上記のように、スリップマットとレコード盤とは、互いに異なる物質(素材)により形成されているが、ＤＪ用のレコードプレーヤにおいて、演奏者によるスクラッチパフォーマンス操作が行われているときには、レコード盤とスリップマットとの間には滑り（スリップ）により摩擦が発生する。
互いに異なる物質間に摩擦があるとき、その摩擦により静電気が発生するが、発生する静電気は、各物質の相違に基づく帯電列に従い、プラス側の物質はプラスに、またはマイナス側の物質はマイナスに帯電することが知られている。レコード盤とスリップマットのように、互いに異なる物質からなり、両者が帯電列上における帯電の隔たりが大きい場合、発生した静電気によりごみが付着しやすく、ごみが付着したレコード盤を再生したとき雑音が発生するという不具合が生じた。
【０００５】
そこで本発明は、ある物質（素材）に静電植毛処理を行ったとき、その静電植毛処理が施された側の物質に他の物質が摩擦力を有して接触したとしても、帯電防止機能が作用して静電気発生が抑制されることに着目してなされたもので、演奏者のスクラッチパフォーマンス操作により発生する静電気量を抑制し、それによってレコード盤面へのごみ付着を防いで、再生時の雑音発生を大幅に軽減可能なレコードプレーヤ用マットを提供することを目的とする。
なお、以下の本明細書においては、スリップマットを単にマットと記載して説明する。
【課題を解決するための手段】
【０００６】
本発明は、ターンテーブル上に載置して使用され、円盤状のベース部材を主体としてなるレコードプレーヤ用マットにおいて、前記ベース部材は、一方の面に静電植毛処理が施されていることを特徴とする。
【発明の効果】
【０００７】
上記のように、本発明に係るレコードプレーヤ用マットは、ベース部材の一方の面に静電植毛処理が施されて構成されているので、その静電植毛処理が施された面側に載置されたレコード盤との間に摩擦が生じたとしても、帯電防止機能により静電気発生は抑制され、レコード盤面へのごみ付着は軽減され、雑音の少ないレコード盤再生が可能となる。
【発明を実施するための最良の形態】
【０００８】
以下、本発明に係るレコードプレーヤ用マットの一実施例を図１および図２を参照して詳細に説明する。
図１は本発明に係るレコードプレーヤ用マットの一実施例を示した断面図、図２は図１に示したレコードプレーヤ用マットをターンテーブル上に搭載するとともに、マット上にレコード盤を載せた状態を示した断面図である。
【０００９】
図１に示したレコードプレーヤ用マット１は、図２に示したように、上に載置されるレコード盤２およびターンテーブル３の形状と相似形に形成された薄い円盤状のベース部材１ａを主体としてなり、そのベース部材１ａの一方の面１ａａに静電植毛１ｂが施されている。ベース部材１ａはアルミニウム製で、中心部にはスピンドル４が挿入される穴１ｃが形成されている。
【００１０】
ベース部材１ａには、一方の面（図では上面）に予め接着剤が塗布されていて、静電植毛１ｂが施されている。この実施例の静電植毛１ｂでは、長さ１ｍｍ前後に均一にカットした形の黒色のフロック（短繊維）を、静電気を利用して高密度でベース部材１ａに形成したものであり、良く知られているように、その植毛されたフロックに対する導電化処理により帯電防止機能や除電機能が得られる。
ベース部材１ａに静電植毛１ｂが施されてなるマット１は、図２に示したように、レコードプレーヤのターンテーブル２に装着され、静電植毛１ｂされた面側にレコード盤３が載置される。フロックの長さの均一性から、レコード盤２との間に安定した摩擦力が得られる。
なお、上記説明において、レコードプレーヤ用マット１のベース部材１ａは、アルミニウム製としたが、銅や鉄等の他の金属製であっても良く、またＡＢＳ（アクリロニトリル・ブタジエン・スチレン）樹脂等のプラスチック（合成樹脂）製であっても良い。また、フロックには、ナイロンのほか導電繊維（たとえば、ドリーマロン（商品名））を採用することもできる。
【００１１】
このように、本実施例のレコードプレーヤ用マット１は、ベース部材１ａの一方の面１ａａに静電植毛１ｂが施されているので、その上にこのベース部材１ａとは異なる物質（素材）のレコード盤２が載置され、演奏者によるスクラッチパフォーマンス操作により、マット１とレコード盤２との間に摩擦が生じたとしても、帯電防止機能や除電機能が作用して静電気発生は抑制され、レコード盤２へのごみ付着は軽減される。
また、この実施例のレコードプレーヤ用マット１では、黒色のフロックを採用したので、たとえマット１上にごみが付着したとしても、ごみを容易に識別して取り除くことができる。
以上要するに、この実施例のレコードプレーヤ用マットによれば、静電植毛１ｂが施されたマット１の上記静電植毛１ｂ上にレコード盤２を載せて使用するため、スクラッチパフォーマンス操作を行うとき、静電植毛１ｂ上においてレコード盤２が滑らかに滑り、スクラッチパフォーマンス操作が容易であると共に、スクラッチパフォーマンス操作によりマット１とレコード盤２との間に滑り摩擦が生じても、静電気の発生が抑制されるので、レコード盤面へのごみ付着による再生時の雑音発生は大幅に軽減され、良好な再生音を得ることができる。
【図面の簡単な説明】
【００１２】
【図１】本発明に係るレコードプレーヤ用マットの一実施例を示した断面図である。
【図２】図１に示したレコードプレーヤ用マットを搭載したレコードプレーヤの要部断面図である。
【符号の説明】
【００１３】
１    （レコードプレーヤ用）マット
１ａ  ベース部材
１ｂ  静電植毛（フロック）
２    レコード盤
３    ターンテーブル
【図１】
2009004059.tif 000003
【図２】
2009004059.tif 000004